(57)【要約】【課題】この発明は、簡易な構成で筐体間等を確実に導通させることのできる電波防止用ガスケットを提供する。【解決手段】弾力性を有する電波シールド材の略長方形の面に、該面の各長辺のそれぞれの少なくとも一部を含み、該面の少なくとも一部を露出させる形状の両面粘着テープを貼り付ける。例えば、電波シールド材２０に対して、両面テープ３０を螺旋状に貼り付け、筐体等と接触する面の電波シールド材２０の露出を十分にし、該面の長辺の一部を含むように貼り付けられた両面テープで、筐体間等の導電性を安定させる。【選択図】        図２
2005019707.tif 000002
【特許請求の範囲】
【請求項１】
略長方形の面を有し、該面を含む複数面に接触する導電性部材間を電気的に導通させる電波防止用ガスケットにおいて、
弾力性を有する電波シールド材の略長方形の面に、該面の各長辺のそれぞれの少なくとも一部を含み、該面の少なくとも一部を露出させる形状の両面粘着テープを貼り付けたことを特徴とする電波防止用ガスケット。
【請求項２】
前記電波シールド材に、両面粘着テープを螺旋状に貼り付けたことを特徴とする請求項１記載の電波防止用ガスケット。
【請求項３】
前記面に、梯子形状の両面粘着テープを貼り付けたことを特徴とする請求項１記載の電波防止用ガスケット。
【発明の詳細な説明】
【０００１】
【発明の属する技術分野】
この発明は、電波防止用ガスケットに関し、特に、筐体間や筐体と実装部品間等の導通を行うことを目的とした電波防止用ガスケットに関する。
【０００２】
【従来の技術】
電波防止用のガスケットは、帯状に形成したウレタンやゴム等の弾性材を用いたクッションを加工するか、導電性のスポンジ等をクッションに用いることにより、これらクッションに接する筐体や実装部品間を電気的に導通させ、障害電波による悪影響を防止するものである。
【０００３】
従来の電波防止用ガスケットは、一般に、その平面部分に帯状の剥離紙付両面テープを貼り付けてあり、筐体もしくは実装部品に貼り付ける際に、剥離紙が剥がされて筐体等に接着されるものが多い。例えば、図４に示す電波防止用ガスケット１１０は、導電性スポンジ等のクッションである電波シールド材１２０に、両面テープ１３０が貼り付けられたものである。なお、図４（ａ）は電波防止用ガスケットの斜視図であり、図４（ｂ）は同正面図、図４（ｃ）は同側面図を示し、各図中のｘ軸、ｙ軸、ｚ軸は、全て同方向を示している。
【０００４】
そして、図４に示した電波防止用ガスケット１１０は、図５に示すように、筐体１４０と筐体１４１間に配されて、両者を電気的に導通する。
【０００５】
なお、この種の電波防止用ガスケットには、特許文献１に記載されているようなものもある。
【０００６】
【特許文献１】
実開平７−４２１９０号公報
【０００７】
【発明が解決しようとする課題】
しかしながら、従来の電波防止用ガスケットは、その大きさや筐体の形状によっては、筐体間等を導通させることができなくなる場合があった。
【０００８】
例えば、図６（ａ）に示すように、筐体１４２と筐体１４３の間に電波防止用ガスケット１１０を配した場合、筐体１４３に押圧されることにより電波シールド材１２０が歪み、筐体１４２は、両面テープ１３０を介してのみ電波シールド材１２０と接することとなる。両面テープ１３０は、絶縁体であるため、結果として、筐体１４２と筐体１４３の間は、電気的に絶縁された状態となる。
【０００９】
また、図６（ｂ）に示すように、角に丸みを有する電波シールド材１２１と両面テープ１３１で構成される電波防止用ガスケット１１１の場合には、筐体１４４と筐体１４５の両者を平面で接するようにする場合であっても、電波シールド材１２１の角の丸みの影響により、筐体１４４と筐体１４５の間が電気的に絶縁された状態となってしまう。
【００１０】
このような状態を解消する方法としては、両面テープ以外の方法で電波シールド材を筐体に固定する方法が考えられるが、筐体部分に固定のための加工を必要とし、また固定をするための組み立てに要する手間も多くなり、結果として、コストアップとなることが考えられる。
【００１１】
そこで、この発明は、簡易な構成で筐体間等を確実に導通させることのできる電波防止用ガスケットを提供することをことをことを目的とする。
【００１２】
【課題を解決するための手段】
上述した目的を達成するため、請求項１の発明は、略長方形の面を有し、該面を含む複数面に接触する導電性部材間を電気的に導通させる電波防止用ガスケットにおいて、弾力性を有する電波シールド材の略長方形の面に、該面の各長辺のそれぞれの少なくとも一部を含み、該面の少なくとも一部を露出させる形状の両面粘着テープを貼り付けたことを特徴とする。
【００１３】
また、請求項２の発明は、請求項１の発明において、前記電波シールド材に、両面粘着テープを螺旋状に貼り付けたことを特徴とする。
【００１４】
また、請求項３の発明は、請求項１の発明において、前記面に、梯子形状の両面粘着テープを貼り付けたことを特徴とする。
【００１５】
【発明の実施の形態】
以下、この発明に係る電波防止用ガスケットの一実施の形態について、添付図面を参照して、詳細に説明する。
【００１６】
この発明を適用した電波防止用ガスケットは、筐体等の接触面が略長方形の形状を有しており、図１（ａ）および図１（ｂ）に示すように、電波シールド材２の略長方形の面の各長辺の少なくとも一部を含むように両面テープ３を貼り付けることで、図６（ａ）や図６（ｂ）に示した状態を防止することができるものである。
【００１７】
以下に、実用上効果的と考えられる状態に両面テープを貼り付けた電波防止用ガスケットの構成例を説明する。
【００１８】
【実施例１】
図２は、実施例１における電波防止用ガスケットの概観を示した図である。なお、図２（ａ）は電波防止用ガスケットの斜視図であり、図２（ｂ）は同正面図を示し、各図中のｘ軸、ｙ軸、ｚ軸は、全て同方向を示している。
【００１９】
同図に示すように、電波防止用ガスケット１０は、導電性スポンジ等のクッションである電波シールド材２０に、両面テープ３０を螺旋状に貼り付けている。両面テープ３０を螺旋状に貼り付けることにより、筐体等との接触面となる略長方形の面（両面テープ３０が貼り付けられているいずれの面でもよい）において、その長辺部が固定されるために、図６（ａ）に示した状態を防止することができる。
【００２０】
また、同面においては、電波シールド材２０が十分に露出しているため、図６（ｂ）に示した状態も防止することができる。
【００２１】
なお、螺旋状に貼り付ける両面テープ３０のピッチを変更したり、両面テープ３０の幅を変更することで、電波防止用ガスケット１０を筐体等へ取り付けた際の接着力を調整することができる。
【００２２】
【実施例２】
図３は、実施例２における電波防止用ガスケットの概観を示した図である。なお、図３（ａ）は電波防止用ガスケットの斜視図であり、図３（ｂ）は同正面図を示し、各図中のｘ軸、ｙ軸、ｚ軸は、全て同方向を示している。
【００２３】
同図に示すように、電波防止用ガスケット１１は、導電性スポンジ等のクッションである電波シールド材２１に、梯子形状の両面テープ３１を貼り付けている。両面テープ３１の形状が梯子状であるため、筐体等との接触面となる略長方形の面（両面テープ３１が貼り付けられている面）において、その長辺部が固定されるために、図６（ａ）に示した状態を防止することができる。
【００２４】
また、同面においては、電波シールド材２１が十分に露出しているため、図６（ｂ）に示した状態も防止することができる。
【００２５】
なお、螺旋状に貼り付ける両面テープ３１の開口部の数を変更したり、両面テープ３１の開口部の大きさを変更することで、電波防止用ガスケット１１を筐体等へ取り付けた際の接着力を調整することができる。
【００２６】
【発明の効果】
以上説明したように、この発明によれば、弾力性を有する電波シールド材の略長方形の面に、該面の各長辺のそれぞれの少なくとも一部を含み、該面の少なくとも一部を露出させる形状の両面粘着テープを貼り付けるように構成したので、接触する筐体や実装部品間の間を安定して導通させることが可能となる。
【図面の簡単な説明】
【図１】この発明を適用した電波防止用ガスケットを説明するための図である。
【図２】実施例１における電波防止用ガスケットの概観を示した図である。
【図３】実施例２における電波防止用ガスケットの概観を示した図である。
【図４】従来の電波防止用ガスケットの概観を示した図である。
【図５】従来の電波防止用ガスケットの使用例を示した図である。
【図６】従来の電波防止用ガスケットの問題点を説明するための図である。
【符号の説明】
２    電波シールド材
３    両面テープ
１０、１１    電波防止用ガスケット
２０、２１    電波シールド材
３０、３１    両面テープ
【図１】
2005019707.tif 000003
【図２】
2005019707.tif 000004
【図３】
2005019707.tif 000005
【図４】
2005019707.tif 000006
【図５】
2005019707.tif 000007
【図６】
2005019707.tif 000008